(57)【要約】【課題】複合映像信号をコンポーネント信号に変換した後、再度複合映像信号に合成する際に、特別なカラーフィールド情報等を伝送、記憶することなく、正しいカラーフィールド情報を検出する。【解決手段】コンポーネント信号におけるＹ信号からサブキャリア帯域の信号を抽出する帯域通過フィルタ１と、抽出した信号を複数のサブキャリアを用いて複数の色差信号を復調するＢ−Ｙ信号復調部２と、複数のＢ−Ｙ信号における各Ｂ−Ｙ信号とコンポーネント信号におけるＢ−Ｙ信号との複数の差分値を求める減算部５と、複数の差分値における各差分値とを比較して差分値の絶対値が小さい方に係るサブキャリアの位相情報をカラーフィールド情報として出力する比較部６とを備える。【選択図】図１
2006311481.tif 000002
【特許請求の範囲】
【請求項１】
複合映像信号から分離されたコンポーネント信号における輝度信号の信号帯域の信号から、前記複合映像信号の色副搬送波の周波数帯域を有する第１の信号を抽出する抽出部と、
前記第１の信号に含まれる第１の位相情報から、前記コンポーネント信号におけるサブキャリアの位相情報に係るカラーフィールド情報を検出する検出部と
を備えることを特徴とするフィールド同期装置。
【請求項２】
前記抽出部は、前記輝度信号から前記第１の信号を帯域通過フィルタによって抽出するフィルタ部を備える請求項１に記載のフィールド同期装置。
【請求項３】
前記検出部は、
前記第１の信号を、複数のサブキャリアを用いて、複数の色差信号を復調する第１の復調部と、
前記複数の色差信号における各色差信号と前記コンポーネント信号における色差信号である第１の色差信号との複数の差分値を求める第１の減算部と、
前記複数の差分値における各差分値とを比較して、差分値の絶対値が小さい方に係るサブキャリアの位相情報を前記カラーフィールド情報として出力する第１の比較部と
を備える請求項１に記載のフィールド同期装置。
【請求項４】
前記第１の復調部は、
前記第１の信号を、第１のカラーフィールド情報に対応した第１の位相情報を有する第１のサブキャリアを用いて、第２の色差信号を復調する第１の復調部と、
前記第１の信号を、第２のカラーフィールド情報に対応した第２の位相情報を有する第２のサブキャリアを用いて、第３の色差信号を復調する第２の復調部とを有し、
前記第１の減算部は、
前記第１の色差信号と前記第２の色差信号との第１の差分値を求める第２の減算部と、
前記第１の色差信号と前記第３の色差信号との第２の差分値を求める第３の減算部とを有し、
前記第１の比較部は、
前記第１の差分値と前記第２の差分値とを比較して、差分値の絶対値が小さい方に係るサブキャリアの位相情報を前記カラーフィールド情報として出力する第２の比較部と
を備える請求項３に記載のフィールド同期装置。
【請求項５】
前記第１の色差信号を、前記カラーフィールド情報に対応したサブキャリアにて変調して、第２の信号を出力する変調部と、
前記第１の信号、前記第２の信号、前記複合映像信号の水平同期信号を加算する加算部と
を備える請求項４に記載のフィールド同期装置。
【請求項６】
前記複数のサブキャリアは、各々異なる位相情報を有し、
各々異なる位相情報におけるそれぞれの位相情報は、３６０［度］を前記複数のサブキャリアの数で割った値の整数倍となる位相情報を有する
請求項３に記載のフィールド同期装置。
【請求項７】
前記第１の色差信号を、前記カラーフィールド情報に対応したサブキャリアにて変調して、第２の信号を出力する変調部と、
前記複合映像信号の第１の水平同期信号の位相情報を、前記カラーフィールド情報に対応した位相情報と等しくして、第２の水平同期信号を出力する位相シフト部と、
前記第１の信号、前記第２の信号、前記第２の水平同期信号を加算する加算部と
を備える請求項４に記載のフィールド同期装置。
【請求項８】
複合映像信号から分離されたコンポーネント信号における輝度信号の信号帯域の信号から、前記複合映像信号の色副搬送波の周波数帯域を有する第１の信号を抽出する第１の工程と、
前記第１の信号に含まれるサブキャリアの第１の位相情報から、前記コンポーネント信号における位相情報に係るカラーフィールド情報を検出する第２の工程と
を備えることを特徴とするフィールド同期方法。
【請求項９】
前記第１の工程は、前記輝度信号から前記第１の信号を帯域通過フィルタによって抽出する第３の工程を備える請求項８に記載のフィールド同期方法。
【請求項１０】
前記第２の工程は、
前記第１の信号を、複数のサブキャリアを用いて、複数の色差信号を復調する第４の工程と、
前記複数の色差信号における各色差信号と前記コンポーネントの色差信号である第１の色差信号との複数の差分値を求める第５の工程と、
前記複数の差分値における各差分値とを比較して、差分値の絶対値が小さい方に係るサブキャリアの位相情報を前記カラーフィールド情報として出力する第６の工程と
を備える請求項８に記載のフィールド同期方法。
【請求項１１】
前記第４の工程は、
前記第１の信号を、第１のカラーフィールド情報に対応した第１の位相情報を有する第１のサブキャリアを用いて、第２の色差信号を復調する第７の工程と、
前記第１の信号を、第２のカラーフィールド情報に対応した第２の位相情報を有する第２のサブキャリアを用いて、第３の色差信号を復調する第８の工程とを有し、
前記第５の工程は、
前記第１の色差信号と前記第２の色差信号との第１の差分値を求める第９の工程と、
前記第１の色差信号と前記第３の色差信号との第２の差分値を求める第１０の工程とを有し、
前記第６の工程は、
前記第１の差分値と前記第２の差分値とを比較して、差分値の絶対値が小さい方に係るサブキャリアの位相情報を前記カラーフィールド情報として出力する第１１の工程と
を備える請求項１０に記載のフィールド同期方法。
【請求項１２】
前記色差信号を、前記カラーフィールド情報に対応したサブキャリアにて変調して、第３の信号を出力する第１２の工程と、
前記第１の信号、前記第３の信号、前記複合映像信号の水平同期信号を加算する第１３の工程と
を備える請求項１１に記載のフィールド同期方法。
【請求項１３】
前記複数のサブキャリアは、各々異なる位相情報を有し、各々異なる位相情報におけるそれぞれの位相情報は、３６０［度］を前記複数のサブキャリアの数で割った値の整数倍となる位相情報を有する請求項１０に記載のフィールド同期方法。
【請求項１４】
前記色差信号を、前記カラーフィールド情報に対応したサブキャリアにて変調して、第３の信号を出力する第１４の工程と、
前記複合映像信号の第１の水平同期信号の位相情報を、前記サブキャリアの第３の位相情報と等しくして、第２の水平同期信号を出力する第１５の工程と、
前記第１の信号、前記第３の信号、前記第２の水平同期信号を加算する第１６の工程とを備える請求項１３に記載のフィールド同期方法。
【請求項１５】
複合映像信号を輝度信号と色信号とに分離し、色復調をして得られたコンポーネント信号を、再度変調して合成し、複合映像信号に戻す処理に利用されるフィールド同期方法であって、
当初の複合映像信号のカラーフィールド情報を参照することなく、コンポーネント信号の有効映像信号に含まれる情報から、カラーフィールド情報を検出することを特徴とするフィールド同期方法。
【請求項１６】
前記コンポーネント信号の輝度信号に残留する色信号の成分を抽出し、
前記色信号に含まれるサブキャリアの位相と、前記コンポーネント信号のＢ−Ｙ色差信号及びＲ−Ｙ色差信号を複合色信号に変調する際のサブキャリアの位相とが一致するようにサブキャリアの位相を選択する請求項１５に記載のフィールド同期方法。
【請求項１７】
前記輝度信号の高域成分に対して、前記Ｂ−Ｙ色差信号を変調するのと同じサブキャリアの位相で復調処理を行い、
前記第１の色差信号に残留する輝度信号の成分を抽出し、
両者を比較することで、サブキャリアの位相が一致するようにサブキャリア位相を選択する請求項１６に記載のフィールド同期方法。
【請求項１８】
前記輝度信号から、該輝度信号の高域成分と残留色信号成分とを、３ライン間の垂直フィルタを用いて分離抽出する請求項１７に記載のフィールド同期方法。
【請求項１９】
前記Ｂ−Ｙ色差信号から、該Ｂ−Ｙ色差信号と残留する輝度信号成分とを、３ライン間の垂直フィルタを用いて分離抽出する請求項１７に記載のフィールド同期方法。
【請求項２０】
前記輝度信号の高域成分を前記Ｂ−Ｙ色差信号の変調軸で復調した信号の符号の正負と、前記Ｂ−Ｙ色差信号から取り出した輝度信号の成分の符号の正負とを比較し、
一致していれば、サブキャリアの位相が一致していると判定し、
一致していなければ、サブキャリアの位相が反転していると判定する請求項１６に記載のフィールド同期方法。
【請求項２１】
前記輝度信号から抽出した残留色信号を前記Ｂ−Ｙ色差信号の変調軸で復調した信号の符号の正負と、前記Ｂ−Ｙ色差信号の符号の正負とを比較し、
一致していれば、サブキャリアの位相が一致していると判定し、
一致していなければ、サブキャリアの位相が反転していると判定する請求項１６に記載のフィールド同期方法。
【請求項２２】
前記輝度信号の比較から得られたサブキャリアの位相情報、及び、前記Ｂ−Ｙ色差信号から得られたサブキャリアの位相情報をともに用い、多数決によっていずれかで検出された情報を選択する請求項１６に記載のフィールド同期方法。
【請求項２３】
サブキャリアの位相を、０［度］、４５［度］、９０［度］及び１３５［度］の４種類用意し、
最適なサブキャリアの位相を選択する請求項１６〜２２のいずれか１項に記載のフィールド同期方法。
【請求項２４】
決定したサブキャリアの水平同期位相との差分に応じて水平同期信号の位相をシフトし、
ＳＣＨ位相を０にして前記輝度信号と色信号とを加算する請求項２３に記載のフィールド同期方法。
【発明の詳細な説明】
【技術分野】
【０００１】
本発明は、コンポーネント信号から複合映像信号に変換する処理、装置に利用されるフィールド同期装置及び方法に関する。
【背景技術】
【０００２】
地上波ディジタル放送やＤＶＤ（Ｄｉｇｉｔａｌ  Ｖｅｒｓａｔｉｌｅ  Ｄｉｓｋ）ビデオなどの符号化方式として採用されているＭＰＥＧ２（Ｍｏｖｉｎｇ  Ｐｉｃｔｕｒｅ  Ｅｘｐｅｒｔｓ  Ｇｒｏｕｐ  Ｐｈａｓｅ  ２）などでは、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式などの複合映像信号（コンポジット信号（Ｃｏｍｐｏｓｉｔｅ信号））を符号化・伝送する場合、符号化前段処理として、入力信号を輝度信号と色信号とに分離（Ｙ／Ｃ分離）し、色信号については色副搬送波（サブキャリア）で変調されているので更に色復調を行い、Ｒ−Ｙ信号、Ｂ−Ｙ信号の２つの色差信号としてから符号化する必要がある。また、復号化装置側では、復号した映像信号を色信号についてはサブキャリアで変調し、変調色信号を輝度信号と多重して複合映像信号として出力する。
【０００３】
ＮＴＳＣ方式の複合映像信号は、フィールド周波数をｆＶ、水平同期周波数をｆＨ、サブキャリア（ＳＣ）周波数をｆＳＣとすると、
ｆＳＣ＝４５５×ｆＨ／２  ・・・  （式１）
ｆＨ＝５２５×ｆＶ／２    ・・・  （式２）
と決められている。式１のサブキャリア周波数ｆＳＣ：３．５８［ＭＨｚ］と水平同期周波数ｆＨ：１５．７３４［ｋＨｚ］の関係から、第１フィールドから第４フィールドの各水平走査線が図８の各フィールドの水平走査線［６１］〜［６４］に示されるような関係であるとき、サブキャリアの波形の位相は、水平走査線（ライン）毎に丁度１８０［度］ずつずれる（反転する）関係となる（図９における各フィールドの各ラインの波形［７１］〜［７４］参照）。また、式２より、各ラインのサブキャリアの波形は、２フィールド（１フレーム）で位相が反転し（図９における奇数フィールドの各ラインの波形［７１］、［７３］、偶数フィールドの各ラインの波形［７２］、［７４］参照）、４フィールド（２フレーム）で同位相となる。この関係は、４フィールドシーケンスと呼ばれる（ここで、１フレームは、２フィールドから構成される。）。
【０００４】
複合映像信号をコンポーネント信号（Ｃｏｍｐｏｎｅｎｔ信号）に変換する際に行うＹ／Ｃ分離は、このサブキャリアの位相関係を利用して、２次元又は３次元フィルタを構成して行うのが一般的である。ＭＰＥＧ２の受信側で復号した後は、コンポーネント信号から色信号の変調信号及び輝度信号（Ｙ信号）との加算をしてＮＴＳＣ方式の複合映像信号を再生する。
【特許文献１】特再平１０−０００９７９号公報
【発明の開示】
【発明が解決しようとする課題】
【０００５】
ＮＴＳＣ方式の複合映像信号を一度、Ｙ／Ｃ分離を行いコンポーネント信号にした後、再度ＮＴＳＣ方式の複合映像信号に戻す処理において、Ｙ／Ｃ分離の性能が画質に大きく影響を受ける。しかし、ＮＴＳＣ方式の複合映像信号を完全にＹ／Ｃ分離することは困難であり、信号に依存してＹ信号のＣ信号への漏れ、Ｃ信号のＹ信号への漏れが発生する。もし、復号化装置側で符号化装置側と一致する４フィールドシーケンスを再現することができた場合、これらの漏れ信号は、ほぼそのまま元に戻り、画質の劣化はあまり発生しない。しかし、４フィールドシーケンスが符号化装置側と不一致となり再現することができなかった場合、これらの漏れ信号は妨害信号となり、大きな画質の劣化につながる。テレビ信号などは、複数の信号源（番組）などを切り替えて運用するため、フィールドシーケンスの連続性は保たれない場合が多い。よって、符号化装置側のフィールドシーケンスに合わせて、復号化装置側のフィールドシーケンスを制御しない場合、番組によって画質が良かったり、悪かったりと変わってしまう問題が発生する。
【０００６】
従来技術では、奇数フィールド（第１フィールド、第３フィールド）と偶数フィールド（第２フィールド、第４フィールド）は容易に判定することができるが、復号化装置側で、コンポーネント信号から、符号化側入力のＮＴＳＣ方式の複合映像信号の第１フィールドと第３フィールド、第２フィールドと第４フィールドをそれぞれ判定することは行っていない。また、ＭＰＥＧ２規格では、ピクチャ符号化拡張子中のフィールドシーケンスで４フィールドシーケンスを伝送することが可能であるが、これらのシンタックス（サブキャリアの位相に関する４フィールドシーケンス）を完全にサポートしている符号化／復号化ＬＳＩは非常に少なく、また、サポートしていたとしても符号化側と復号化側とでともにサポートしていなければならず、復号化側だけでは、実現することができないという問題があった。
【０００７】
さらに、図１０に示されるように、カラーフレーム信号を伝送し、それにより、カラーサブキャリアの位相を制御する技術も提案されている。このようにすると、画質の劣化を防ぐことはできるが、特別の情報を伝送する必要がある。いずれの場合も、符号化側と復号化側とで一致した処理を行う必要があるので、復号化側のみでは、問題を解決することができなかった。
【課題を解決するための手段】
【０００８】
上記課題を解決するために、本発明によるフィールド同期装置は、複合映像信号から分離されたコンポーネント信号における輝度信号の信号帯域の信号から、複合映像信号の色副搬送波の周波数帯域を有する第１の信号を抽出する抽出部と、第１の信号に含まれる第１の位相情報から、コンポーネント信号におけるサブキャリアの位相情報に係るカラーフィールド情報を検出する検出部とを備える。さらに、本発明によるフィールド同期装置は、検出部が、第１の信号を、複数のサブキャリアを用いて、複数の色差信号を復調する第１の復調部と、複数の色差信号における各色差信号とコンポーネント信号における色差信号である第１の色差信号との複数の差分値を求める第１の減算部と、複数の差分値における各差分値とを比較して、差分値の絶対値が小さい方に係るサブキャリアの位相情報をカラーフィールド情報として出力する第１の比較部とを備える。
【０００９】
また、本発明によるフィールド同期方法は、複合映像信号から分離されたコンポーネント信号における輝度信号の信号帯域の信号から、複合映像信号の色副搬送波の周波数帯域を有する第１の信号を抽出する第１の工程と、第１の信号に含まれるサブキャリアの第１の位相情報から、コンポーネント信号における位相情報に係るカラーフィールド情報を検出する第２の工程とを備える。さらに、本発明によるフィールド同期方法は、第２の工程が、第１の信号を、複数のサブキャリアを用いて、複数の色差信号を復調する第４の工程と、複数の色差信号における各色差信号とコンポーネントの色差信号である第１の色差信号との複数の差分値を求める第５の工程と、複数の差分値における各差分値とを比較して、差分値の絶対値が小さい方に係るサブキャリアの位相情報をカラーフィールド情報として出力する第６の工程とを備える。
【００１０】
さらに、本発明によるフィールド同期方法は、複合映像信号を輝度信号と色信号とに分離し、色復調をして得られたコンポーネント信号を、再度変調して合成し、複合映像信号に戻す処理に利用されるフィールド同期方法であって、当初の複合映像信号のカラーフィールド情報を参照することなく、コンポーネント信号の有効映像信号に含まれる情報から、カラーフィールド情報を検出する。
【発明の効果】
【００１１】
本発明では、複合映像信号をコンポーネント信号に変換した後、再度複合映像信号に合成する際に、特別なカラーフィールド情報等を伝送、記録することなく、正しいカラーフィールド情報を検出することができるので、輝度信号に残留している色信号、あるいは色信号に漏れ込んでいる輝度信号を、正しい位相で変調、合成を行うことができ、Ｙ／Ｃ分離やカラーデコーダに伴う特性劣化を防ぐことができる。
【発明を実施するための最良の形態】
【００１２】
（Ａ）第１の実施形態
次に、添付図面を参照して本発明によるフィールド同期装置及び方法の実施形態を詳細に説明する。本発明は、符号化装置側に入力された映像信号のカラーフィールド情報を、復号化装置側で復号されたコンポーネント信号の輝度信号及び色信号の持徴を利用して判定し、入力信号に同期したカラーフィールド情報を生成するものである。
【００１３】
（Ａ−１）第１の実施形態の構成
第１の実施形態の構成は、図１に示される。ＭＰＥＧ復号化装置のように入力信号が輝度信号としてのＹ信号、色差信号としてのＢ−Ｙ信号及びＲ−Ｙ信号のコンポーネント信号で処理され、その後、ＮＴＳＣエンコーダによって複合映像信号（コンポジット信号）として出力する装置に実施した例であり、入力信号のカラーフィールド情報が、ＲＳ−１７０Ａ規格に準拠している信号に対応することができる例である。
【００１４】
バンドパスフィルタ（ＢＰＦ：Ｂａｎｄ  Ｐａｓｓ  Ｆｉｌｔｅｒ）［１］は、色副搬送波の周波数帯域である３．５８［ＭＨｚ］帯域通過フィルタであり、Ｙ信号を入力して、３．５８［ＭＨｚ］帯域の信号を出力する。
【００１５】
Ｂ−Ｙ信号復調部［２］は、第１のＢ−Ｙ信号復調部［２−１］と、第２のＢ−Ｙ信号復調部［２−２］とを有する。第１のＢ−Ｙ信号復調部［２−１］は、バンドパスフィルタ［１］から出力された３．５８［ＭＨｚ］帯域の信号を入力して、第１のＢ−Ｙ信号を復調し出力する。第１のＢ−Ｙ信号復調部［２−１］は、後述されるサブキャリア生成部［３］から出力される第１の位相情報を有する第１の色副搬送波（第１のサブキャリア（＋ＳＣ））に基づいて、第１のＢ−Ｙ信号を復調し出力する。第２のＢ−Ｙ信号復調部［２−２］は、第１のＢ−Ｙ信号復調部［２−１］と同等の構成を有する。第２のＢ−Ｙ信号復調部［２−２］は、バンドパスフィルタ［１］から出力された３．５８［ＭＨｚ］帯域の信号を入力して、第２のＢ−Ｙ信号を復調し出力する。第２のＢ−Ｙ信号復調部［２−２］は、後述されるサブキャリア生成部［３］から出力される第２の位相情報を有する第２の色副搬送波（第２のサブキャリア（−ＳＣ））に基づいて、第２のＢ−Ｙ信号（第２のＢ−Ｙ信号）を復調し出力する。
【００１６】
遅延部［４］は、第３のＢ−Ｙ信号を入力して、第３のＢ−Ｙ信号を所定の時間、遅延させた第４のＢ−Ｙ信号を出力する。ここで、所定の時間とは、第４のＢ−Ｙ信号の位相情報と第１のＢ−Ｙ信号の位相情報（第２のＢ−Ｙ信号の位相情報）とを合わせるために必要な時間である。
【００１７】
減算部［５］は、第１の減算部［５−１］と、第２の減算部［５−２］とを有する。第１の減算部［５−１］は、第１のＢ−Ｙ信号復調部［２−１］から出力された第１のＢ−Ｙ信号と、遅延部［４］から出力された第４のＢ−Ｙ信号とを入力して、第１のＢ−Ｙ信号と第４のＢ−Ｙ信号との第１の差分値を計算し出力する。第２の減算部［５−２］は、第１の減算部［５−１］と同等の構成を有する。第２の減算部［５−２］は、第２のＢ−Ｙ信号復調部［２−２］から出力された第２のＢ−Ｙ信号と、遅延部［４］から出力された第４のＢ−Ｙ信号とを入力して、第２のＢ−Ｙ信号と第４のＢ−Ｙ信号との第２の差分値を計算し出力する。
【００１８】
比較部［６］は、第１の比較部［６−１］を有する。第１の比較部［６−１］は、第１のＢ−Ｙ信号復調部［２−１］から出力された第１のＢ−Ｙ信号と、第１の減算部［５−１］から出力された第１の差分値と、第２の減算部［５−２］から出力された第２の差分値とを入力して、比較結果として出力する。ここで、比較結果は、第１のＢ−Ｙ信号から抽出されたＢ−Ｙ信号成分（Ｂ−Ｙ信号成分）が存在する領域において、第１の差分値と第２の差分値とを比較し、差分値の絶対値が小さい方を検出し、検出結果を比較結果とする。
【００１９】
タイミング信号／サブキャリア発生部［７］は、水平同期及び垂直同期のタイミング信号を入力して、このタイミング信号に同期した色副搬送波（サブキャリア（ＳＣ））用の信号として出力する。また、タイミング信号／サブキャリア発生部［７］は、同期信号を入力して、ＮＴＳＣ方式の複合映像信号（：以下、複合映像信号と記載）に用いられる複合同期信号を生成し出力する。ここで、複合同期信号とは、複合映像信号におけるＲＳ−１７０Ａに準拠した信号に係る同期信号（：水平同期信号、垂直同期信号、カラーバースト信号、等価パルス）を、ＲＳ−１７０Ａの規定に従って出力する。
【００２０】
サブキャリア生成部［３］は、第１のサブキャリア生成部［３−１］と第２のサブキャリア生成部［３−２］とを有する。第１のサブキャリア生成部［３−１］は、タイミング信号／サブキャリア発生部［７］から出力されるサブキャリア用の信号を入力して、第１の位相情報を有する第１のサブキャリア（＋ＳＣ）を第１のＢ−Ｙ信号復調部［２−１］に出力する。第１の位相情報とは、第１のサブキャリアの位相が、第１フィールド、第１ラインのサブキャリアの波形（図９：［７５］）の位相情報と同じとなる位相情報を有することである。第２のサブキャリア生成部［３−２］は、タイミング信号／サブキャリア発生部［７］から出力されるサブキャリア用の信号を入力して、第２の位相情報を有する第２のサブキャリア（−ＳＣ）を第２のＢ−Ｙ信号復調部［２−２］に出力する。第２の位相情報とは、第２のサブキャリアの位相が、第３フィールド、第１ラインのサブキャリアの波形（図７：［７６］）の位相情報と同じとなる位相情報を有することであり、第２のサブキャリア（−ＳＣ）の位相が第１のサブキャリア（＋ＳＣ）の位相と１８０［度］異なるようなタイミングを意味する。
【００２１】
選択部［８］は、第１の選択部［８−１］を有する。第１の選択部［８−１］は、第１のサブキャリア生成部［３−１］から出力された第１のサブキャリア（＋ＳＣ）、第２のサブキャリア生成部［３−２］から出力された第２のサブキャリア（−ＳＣ）、比較部［６］から出力された比較結果を入力して、比較結果に基づいて、第１のサブキャリア（＋ＳＣ）又は第２のサブキャリア（−ＳＣ）の一方を選択し、第３のサブキャリアとして出力する。
【００２２】
移相部［９］は、選択部［８］から出力された第３のサブキャリアを入力して、第３のサブキャリアを＋９０［度］移相した第４のサブキャリアを出力する。
【００２３】
色信号変調部［１０］は、選択部［８］から出力される第３のサブキャリア、移相部［９］から出力される第４のサブキャリア、第３のＢ−Ｙ信号、第１のＲ−Ｙ信号を入力して、第３のＢ−Ｙ信号を第３のサブキャリアにて変調した信号と、第１のＲ−Ｙ信号を第４のサブキャリアにて変調した信号を加算して、複合色信号にエンコードし出力する。
【００２４】
加算部［１１］は、Ｙ信号、タイミング信号／サブキャリア発生部［７］から出力される複合同期信号、色信号変調部［１０］から出力された複合色信号を入力し、Ｙ信号、複合同期信号、複合色信号を加算し、複合映像信号として出力する。
【００２５】
（Ａ−２）第１の実施形態の動作
第１の実施形態の動作は、図１及び図２を用いて説明される。
【００２６】
［ステップＳ１：抽出処理（図２）］
バンドパスフィルタ［１］は、３．５８［ＭＨｚ］帯域通過フィルタによって、入力された輝度信号としてのＹ信号から色副搬送波としてのサブキャリアの周波数帯の信号を取り出す。
【００２７】
［ステップＳ２：復調処理（図２）］
次に、第１のＢ−Ｙ信号復調部［２−１］は、バンドパスフィルタ［１］から出力された３．５８［ＭＨｚ］帯域の信号を入力して、この３．５８［ＭＨｚ］帯域の信号から第１のサブキャリア（＋ＳＣ）に基づくＢ−Ｙ信号の復調処理を行い、第１のＢ−Ｙ信号を出力する［ステップＳ２−１：第１の復調処理（図２）］。
【００２８】
第２のＢ−Ｙ信号復調部［２−２］は、バンドパスフィルタ［１］から出力された３．５８［ＭＨｚ］帯域の信号を入力して、この３．５８［ＭＨｚ］帯域の信号から第１のサブキャリア（＋ＳＣ）の位相と１８０［度］異なる第２のサブキャリア（−ＳＣ）に基づくＢ−Ｙ信号の復調処理を行い、第２のＢ−Ｙ信号を出力する［ステップＳ２−２：第２の復調処理（図２）］。
【００２９】
［ステップＳ３：遅延処理（図２）］
遅延部［４］は、コンポーネント信号のＢ−Ｙ信号である第３のＢ−Ｙ信号の位相情報を、第１のＢ−Ｙ信号の位相情報（第２のＢ−Ｙ信号の位相情報）と一致するように遅延させ、遅延させた信号を第４のＢ−Ｙ信号として出力する。
【００３０】
［ステップＳ４：減算処理（図２）］
第１の減算部［５−１］は、第１のＢ−Ｙ信号と第４のＢ−Ｙ信号との第１の差分値を計算し出力する［ステップＳ４−１：第１の減算処理（図２）］。
【００３１】
第２の減算部［５−２］は、第２のＢ−Ｙ信号と第４のＢ−Ｙ信号との第２の差分値を計算し出力する［ステップＳ４−２：第１の減算処理（図２）］。
【００３２】
ここで、Ｙ信号に色差信号成分が残留していれば、第１のＢ−Ｙ信号復調部［２−１］、第２のＢ−Ｙ信号復調部［２−２］からＢ−Ｙ信号が取り出される。取り出されたＢ−Ｙ信号に関するサブキャリアの位相情報が一致する方は、差分値の絶対値が必ず小さくなるので、位相情報が一致するサブキャリアを選択することによって正しいカラーフィールド情報を得ることが可能となる。
【００３３】
［ステップＳ５：比較処理（図２）］
第１の比較部［６−１］は、第１のＢ−Ｙ信号からＢ−Ｙ信号成分の存在する領域を検出し、その領域において第１の差分値と第２の差分値とを比較し、絶対値が小さい方を検出する。これにより、正しいカラーフィールド情報が決定される。また、入力信号が連続した信号であれば、カラーフィールド情報は不連続になることはないため、フィールド内での多数決処理や、その結果をさらに数フィールドで多数決処理をする等によって、安定化させる。第１の比較部［６−１］の出力は、第１のサブキャリア生成部［３−１］のサブキャリア出力、第２のサブキャリア生成部［３−２］のサブキャリア出力のいずれを使用するかを制御する信号である［ステップＳ５−１：第１の比較処理（図２）］。
【００３４】
［ステップＳ６：選択処理（図２）］
第１の選択部［８−１］は、正しい位相情報を有するサブキャリアを選択し、色信号変調部［１０］へ渡す［ステップＳ６−１：第１の選択処理（図２）］。
【００３５】
［ステップＳ７：変調処理（図２）］
色信号変調部［１０］は、第１の選択部［８−１］から出力される第３のサブキャリア、移相部［９］から出力される第４のサブキャリア、第３のＢ−Ｙ信号、第１のＲ−Ｙ信号を入力して、複合色信号にエンコードし出力する。
【００３６】
［ステップＳ８：加算処理（図２）］
加算部［１１］は、Ｙ信号、タイミング信号／サブキャリア発生部［７］から出力される複合同期信号、色信号変調部［１０］から出力された複合色信号を加算し、複合映像信号として出力する。
【００３７】
（Ａ−３）第１の実施形態の効果
以上のように、第１の実施形態によれば、複合映像信号をコンポーネント信号に変換した後、再度、複合映像信号に合成する際に、特別なカラーフィールド情報等を伝送、記録することなく、正しいカラーフィールド情報を検出することができるので、Ｙ信号に残留している色信号、又は、色信号に漏れ込んでいるＹ信号を、正しい位相で変調、合成を行うことができ、Ｙ／Ｃ分離やカラーデコーダに伴う特性劣化を防ぐことができる。
【００３８】
（Ｂ）第２の実施形態
次に、添付図面を参照して第２の実施形態によるフィールド同期装置及び方法の実施形態を詳細に説明する。
【００３９】
（Ｂ−１）第２の実施形態の構成
第２の実施形態の構成は、図３に示される。第２の実施形態は、入力信号となるコンポーネント信号のカラーフィールド情報が、ＲＳ−１７０Ａ規格に準拠していないような信号に対応することができるようにしたものである。
【００４０】
バンドパスフィルタ（ＢＰＦ）［１］は、色副搬送波の周波数帯域である３．５８［ＭＨｚ］帯域通過フィルタであり、コンポーネント信号のＹ信号を入力して、３．５８［ＭＨｚ］帯域の信号を出力する。
【００４１】
Ｂ−Ｙ信号復調部［２］は、第３のＢ−Ｙ信号復調部［２−３］を有する。第３のＢ−Ｙ信号復調部［２−３］は、バンドパスフィルタ［１］から出力された３．５８［ＭＨｚ］帯域の信号を入力して、複数の第５のＢ−Ｙ信号を復調し出力する。第３のＢ−Ｙ信号復調部［２−３］は、サブキャリア生成部［３］から出力される複数の各々異なる位相情報を有するサブキャリアに基づいて、複数の第５のＢ−Ｙ信号を復調し出力する。ここで、各々異なる位相情報を有するサブキャリアは、１フィールド毎程度に選択部［８］にて切り替えられて出力される。
【００４２】
遅延部［４］は、第３のＢ−Ｙ信号を入力して、第３のＢ−Ｙ信号を所定の時間、遅延させた第４のＢ−Ｙ信号を出力する。ここで、第２の実施形態において、所定の時間とは、第４のＢ−Ｙ信号の位相情報と第５のＢ−Ｙ信号の位相情報とを合わせるために必要な時間である。
【００４３】
減算部［５］は、第３の減算部［５−３］を有する。第３の減算部［５−３］は、第３のＢ−Ｙ信号復調部［２−３］から出力された各々の第５のＢ−Ｙ信号と、遅延部［４］から出力された第４のＢ−Ｙ信号とを入力して、各々の第５のＢ−Ｙ信号と第４のＢ−Ｙ信号との各々の差分値を計算し出力する。
【００４４】
比較部［６］は、第２の比較部［６−２］を有する。第２の比較部［６−２］は、第３のＢ−Ｙ信号復調部［２−３］から出力された第５のＢ−Ｙ信号（例えば、第３のサブキャリア（ＳＣ１）にて復調された第５のＢ−Ｙ信号）と、第３の減算部［５−３］から出力された各々の差分値とを入力して、比較結果として出力する。ここで、比較結果は、第５のＢ−Ｙ信号（例えば、第３のサブキャリア（ＳＣ１）にて復調された第５のＢ−Ｙ信号）から抽出されたＢ−Ｙ信号成分が存在する領域において、各々の差分値とを比較し、差分値の絶対値が小さい方を検出し、検出結果を比較結果とする。
【００４５】
タイミング信号／サブキャリア発生部［７］は、水平同期及び垂直同期のタイミング信号を入力して、このタイミング信号に同期したサブキャリア（ＳＣ）用の信号として出力する。また、タイミング信号／サブキャリア発生部［７］は、同期信号を入力して、ＮＴＳＣ方式の複合映像信号に用いられる複合同期信号を生成し出力する。ここで、複合同期信号とは、複合映像信号におけるＲＳ−１７０Ａに準拠した信号に係る同期信号（：水平同期信号、垂直同期信号、カラーバースト信号、等価パルス）を、ＲＳ−１７０Ａの規定に従って出力する。
【００４６】
サブキャリア生成部［３］は、タイミング信号／サブキャリア発生部［７］が発生するサブキャリアの位相を基準として、０［度］、＋４５［度］、＋９０［度］、＋１３５［度］、＋１８０［度］、＋２２５［度］（−１３５［度］）、＋２７０［度］（−９０［度］）、＋３１５［度］（−［４５度］）の８種類用意したものである。各サブキャリア間の位相情報は、３６０［度］を８つに等分した４５［度］ずつずれたものとなる。
【００４７】
サブキャリア生成部［３］は、第３のサブキャリア生成部［３−３］〜第１０のサブキャリア生成部［３−１０］を有する。第３のサブキャリア生成部［３−３］は、タイミング信号／サブキャリア発生部［７］から出力されるサブキャリア用の信号を入力して、基準となる第３のサブキャリア（ＳＣ１）（図４：［４１］）を発生する。同様に、第４のサブキャリア生成部［３−４］〜第１０のサブキャリア生成部［３−１０］は、サブキャリア用の信号を入力して、それぞれ、第３のサブキャリア（ＳＣ１）（図４：［４１］）を基準とした各々の位相情報を有する第４のサブキャリア（ＳＣ２）（図４：［４２］）〜第１０のサブキャリア（ＳＣ８）（図４：［４８］）を発生する。
【００４８】
選択部［８］は、第２の選択部［８−２］を有する。第２の選択部［８−２］は、第３のサブキャリア生成部［３−３］から出力された第３のサブキャリア（ＳＣ１）〜第１０のサブキャリア生成部［３−１０］から出力された第１０のサブキャリア（ＳＣ８）を適宜選択して、選択したサブキャリアを第３のＢ−Ｙ信号復調部［２−３］に出力する。また、選択部［８］は、比較部［６］から出力された比較結果も入力して、比較結果に基づいて、第３のサブキャリア（ＳＣ１）〜第１０のサブキャリア（ＳＣ８）のうち１つを選択し、第３のサブキャリアとして出力する。
【００４９】
移相部［９］は、選択部［８］から出力された第３のサブキャリアを入力して、第３のサブキャリアを＋９０［度］移相した第４のサブキャリアを出力する。
【００５０】
色信号変調部［１０］は、選択部［８］から出力される第３のサブキャリア、移相部［９］から出力される第４のサブキャリア、第３のＢ−Ｙ信号、第１のＲ−Ｙ信号を入力して、複合色信号にエンコードし出力する。
【００５１】
位相シフト部［１２］は、タイミング信号／サブキャリア発生部［７］から出力される複合同期信号と、比較部［６］から出力された比較結果とを入力して、比較結果に基づいて、複合同期信号の位相をシフト（補正）するものである。
【００５２】
加算部［１１］は、輝度信号（Ｙ信号）、タイミング信号、位相シフト部［１２］から出力される複合同期信号、色信号変調部［１０］から出力された複合色信号を入力し、Ｙ信号、複合同期信号、複合色信号とを加算し、複合映像信号として出力する。
【００５３】
（Ｂ−２）第２の実施形態の動作
第２の実施形態の動作は、図３及び図５を用いて説明される。ここでは、図３のサブキャリア生成部［３］は、８種類の位相情報を有するサブキャリアを用意し、各位相情報に関して１フィールド毎程度に選択部［８］で切り替えを行い、第２の比較部［６−２］で第３のＢ−Ｙ信号に関わるサブキャリアと最小の位相情報となるサブキャリアとを求める。そこで決定したサブキャリアを用いて、色信号変調部［１０］で変調処理を行い、位相シフト部［１２］で、複合同期信号の位相を補正して、複合映像信号を生成する。
【００５４】
［ステップＳ１：抽出処理（図５）］
バンドパスフィルタ［１］は、３．５８［ＭＨｚ］帯域通過フィルタによって、入力された輝度信号としてのＹ信号から色副搬送波としてのサブキャリアの周波数帯の信号を取り出す。
【００５５】
［ステップＳ２：復調処理（図５）］
次に、第３のＢ−Ｙ信号復調部［２−３］は、バンドパスフィルタ［１］から出力された３．５８［ＭＨｚ］帯域の信号を入力して、この３．５８［ＭＨｚ］帯域の信号から第３のサブキャリア〜第１０のサブキャリアに基づく各Ｂ−Ｙ信号の復調処理を行い、複数の第５のＢ−Ｙ信号を出力する［ステップＳ２−３：第３の復調処理（図５）］。
【００５６】
［ステップＳ３：遅延処理（図５）］
遅延部［４］は、コンポーネント信号のＢ−Ｙ信号である第３のＢ−Ｙ信号の位相情報を、第５のＢ−Ｙ信号の位相情報と一致するように遅延させ、遅延させた信号を第４のＢ−Ｙ信号として出力する。
【００５７】
［ステップＳ４：減算処理（図５）］
第３の減算部［５−３］は、各々の第５のＢ−Ｙ信号と第４のＢ−Ｙ信号との差分値を計算し出力する［ステップＳ４−３：第３の減算処理（図５）］。
【００５８】
ここで、Ｙ信号に色差信号成分が残留していれば、第３のＢ−Ｙ信号復調部［２−３］からＢ−Ｙ信号が取り出される。取り出されたＢ−Ｙ信号に関するサブキャリアの位相に最も近いものは、差分値の絶対値が必ず小さくなるので、このようなサブキャリアを選択することによって正しいカラーフィールド情報を得ることが可能となる。
【００５９】
［ステップＳ５：比較処理（図５）］
第２の比較部［６−２］は、第３のＢ−Ｙ復調部［２−３］の出力から、Ｂ−Ｙ信号成分の存在する領域を検出し、その領域において、第３の減算部［５−３］から出力される各々の差分値を比較し、絶対値が小さくなるサブキャリアを検出する。これにより最も正しいカラーフィールドを決定する。また、入力信号が連続していればカラーフィールド情報は不連続になることはないため、フィールド内での多数決処理や、その結果をさらに数フィールドで多数決処理をする等によって、安定化させる［ステップＳ５−２：第２の比較処理（図５）］。
【００６０】
［ステップＳ６：選択処理（図５）］
第２の選択部［８−２］によって正しい位相情報を有するサブキャリアを選択し、色信号変調部［１０］へ渡す［ステップＳ６−２：第２の選択処理（図５）］。
【００６１】
［ステップＳ７：変調処理（図５）］
色信号変調部［１０］は、第２の選択部［８−２］から出力される第３のサブキャリア、移相部［９］から出力される第４のサブキャリア、第３のＢ−Ｙ信号、第１のＲ−Ｙ信号を入力して、複合色信号にエンコードし出力する。
【００６２】
［ステップＳ９：位相シフト処理（図５）］
位相シフト部［１２］は、比較部［６］から出力された比較結果に基づいて、複合同期信号の位相をシフト（補正）する。
【００６３】
［ステップＳ８：加算処理（図５）］
加算部［１１］は、Ｙ信号、位相シフト部［１２］から出力される複合同期信号、色信号変調部［１０］から出力された複合色信号を加算し、複合映像信号として出力する。
【００６４】
（Ｂ−３）第２の実施形態の効果
以上のように、第２の実施形態によれば、元の複合映像信号が、ＲＳ−１７０Ａ等の規格に準拠していない信号に対しても、複合映像信号をコンポーネント信号に変換した後、ＮＴＳＣ方式の複合映像信号に合成する際に、特別なカラーフィールド情報等を伝送、記録することなく、最適なカラーフィールド情報と、サブキャリアの位相情報を検出することができるので、Ｙ信号に残留している色信号、あるいは色信号に漏れ込んでいるＹ信号を、正しい位相で変調、合成を行うことができ、Ｙ／Ｃ分離やカラーデコーダに伴う特性劣化を防ぐことができる。さらに、水平同期信号の位相シフト部［１２］によって、ＳＣＨ＝０［度］として、ＲＳ−１７０Ａに準拠した信号として出力することができる（ＳＣＨ：ＳｕｂＣａｒｒｉｅｒ  ｐｈａｓｅ  ｔｏ  Ｈｏｒｉｚｏｎｔａｌ、水平同期信号とサブキャリアの位相関係を表し、ＳＣＨ＝０［度］とは、サブキャリアの波形をｓｉｎ（ｘ）（ｘ＝０［度］〜３６０［度］とした１又は複数の波形）としたとき、ｘ＝０［度］又はｘ＝１８０［度］の位置で水平同期信号の波形の立下りの５０［％］の位置とクロスする位相関係をいう。）。
【００６５】
（Ｃ）第３の実施形態
次に、添付図面を参照して第３の実施形態によるフィールド同期装置及び方法の実施形態を詳細に説明する。本実施形態は、符号化装置側に入力された映像信号のカラーフィールドを、復号化装置側で復号されたコンポーネント信号の輝度信号及び色信号の特徴を利用して判定し、入力信号に同期したカラーフィールドの信号を生成するものである。
【００６６】
（Ｃ−１）第３の実施形態の構成
第３の実施形態の構成は、図６に示される。第３の実施形態は、ＭＰＥＧ復号化装置のように入力信号がＹ信号、Ｂ−Ｙ信号、Ｒ−Ｙ信号のコンポーネント信号で処理され、その後、ＮＴＳＣエンコーダによって複合映像信号（コンポジット信号）として出力する装置に実施した例である。
【００６７】
バンドパスフィルタ（ＢＰＦ）［１］は、色副搬送波の周波数帯域である３．５８［ＭＨｚ］帯域通過フィルタであり、入力された輝度信号の色信号付きの帯域を取り出す。そして、輝度信号／残留色信号分離抽出部［１５−１］は、輝度信号の高域成分と残留色信号成分の分離抽出を行う。また、第１のＢ−Ｙ信号復調部［２−１］及び第２のＢ−Ｙ信号復調部［２−２］は、色信号からＢ−Ｙ信号を取り出す。
【００６８】
さらに、遅延素子［１６］は、バンドパスフィルタ［１］の遅延時間を補正する素子である。そして、残留輝度信号分離抽出部［１５−２］は、輝度信号／残留色信号分離抽出部［１５−１］と同じ構成であり、入力されたＢ−Ｙ信号からＢ−Ｙ信号と残留輝度信号との分離抽出を行う。また、遅延素子［１７］及び遅延素子［１８］は、第１のＢ−Ｙ信号復調部［２−１］及び第２のＢ−Ｙ信号復調部［２−２］の遅延時間分を補正する素子である。
【００６９】
比較部［６］は、輝度信号広域成分と残留Ｂ−Ｙ信号、Ｂ−Ｙ信号と残留輝度成分を比較して、Ｂ−Ｙ信号復調部［２］のサブキャリアの位相が送信側の位相に一致しているか否かを判定する。また、タイミング信号／サブキャリア発生部［７］は、入力された同期信号から色変調を行うためのサブキャリアと複合同期信号を発生する。
【００７０】
第１のサブキャリア生成部［３−１］及び第２のサブキャリア生成部［３−２］は、サブキャリアの位相の正転及び反転を行い、第１のサブキャリア（＋ＳＣ）及び第２のサブキャリア（−ＳＣ）を出力する。そして、選択部［８］は、比較部［６］の比較結果から第１のサブキャリア生成部［３−１］の出力である第１のサブキャリア（＋ＳＣ）又は第２のサブキャリア生成部［３−２］の出力である第２のサブキャリア（−ＳＣ）のいずれかを選択し、第３のサブキャリアとして出力する。
【００７１】
移相部［９］は、選択部［８］が出力した第３のサブキャリアを入力し、第３のサブキャリアの位相を＋９０［度］シフトして、Ｒ−Ｙ信号を変調するための第４のサブキャリアとして出力する。そして、色信号変調部［１０］は、Ｂ−Ｙ信号及びＲ−Ｙ信号を第３のサブキャリア及び第４のサブキャリアで直角二相変調を行うＮＴＳＣエンコーダである。また、加算部［１１］はＹ信号、複合色信号及び複合同期信号を合成する。
【００７２】
（Ｃ−２）第３の実施形態の動作
第３の実施形態の動作について説明する。
【００７３】
バンドパスフィルタ［１］は、３．５８［ＭＨｚ］帯域通過フィルタによって、入力された輝度信号としてのＹ信号から色副搬送波としてのサブキャリアの周波数帯の信号を取り出す。信号には、Ｙ信号の３．５８［ＭＨｚ］付近の帯域成分と、送信側のＹ／Ｃ分離部で分離されたＹ信号に残留した色信号成分とが含まれる。
【００７４】
次に、信号は、輝度信号／残留色信号分離抽出部［１５−１］に入力されるが、輝度信号／残留色信号分離抽出部［１５−１］は、一般にＮＴＳＣ信号からＹ／Ｃ分離を行う際に用いられる２次元くし型フィルタと同じ構成を備えている。
【００７５】
「背景技術」の項で説明したように、ＮＴＳＣ方式の複合映像信号は、ライン周波数としての水平同期周波数をｆＨ、サブキャリア（ＳＣ）周波数をｆＳＣとすると、水平同期周波数ｆＨとサブキャリア周波数ｆＳＣとの関係は、
ｆＳＣ＝４５５×ｆＨ／２  ・・・  （式１）
となっている。
【００７６】
式１に示される関係に基づき、１ライン間でサブキャリアの位相が反転することを利用して、輝度信号と色信号とを分離するのが、くし型フィルタの原理である。さらに、これを利用して、入力信号を輝度信号と色信号とに分離するＹ／Ｃ分離と同じ原理で、入力信号から輝度信号の高域成分と残留色信号とを分離抽出することができる。
【００７７】
そして、第１のＢ−Ｙ信号復調部［２−１］には、分離抽出された輝度信号の高域成分が入力される。ここで、第１のＢ−Ｙ信号復調部［２−１］は、第１のサブキャリア生成部［３−１］の出力である色変調用のサブキャリア信号としての第１のサブキャリア（＋ＳＣ）に基づき、第１のサブキャリア（＋ＳＣ）と同じ位相で、輝度信号の高域成分の色復調を行う。なお、第１のＢ−Ｙ信号復調部［２−１］から出力された第１のＢ−Ｙ信号としてのＹH 信号は、送信側のＹ／Ｃ分離で色信号に残留したＹ信号にＢ−Ｙ信号の色復調を行うことによって生成されたＢ−Ｙ信号の中に残留しているＹ’H 信号と、同じ処理を行った信号となる。
【００７８】
また、第２のＢ−Ｙ信号復調部［２−２］は、くし型フィルタである輝度信号／残留色信号分離抽出部［１５−１］から抽出された残留色信号にＢ−Ｙ信号の色復調を行うものであり、取り出されたＣ’ｂ信号は、Ｙ信号に残留したＢ−Ｙ信号成分である。
【００７９】
次に、入力されたＢ−Ｙ信号は、Ｙ信号と遅延時間を合わせるための遅延素子［１６］を経由して、残留輝度信号分離抽出部［１５−２］に入力される。残留輝度信号分離抽出部［１５−２］は、輝度信号／残留色信号分離抽出部［１５−１］と同様に、くし型フィルタとなっている。
【００８０】
ここで、Ｂ−Ｙ信号に残留するＹ信号成分は、通常、色信号のような位相関係にないため、送信側の色復調後の出力はライン毎に位相が反転することとなる。また、Ｂ−Ｙ信号は、復調後の信号であるので、ライン毎の位相は一致する。そのため、第２のＢ−Ｙ信号復調部［２−２］の出力は、遅延素子［１７］にＢ−Ｙ信号成分が入力され、遅延素子［１８］に残留したＹH 信号成分が入力される。なお、遅延素子［１７］及び遅延素子［１７］は、第１のＢ−Ｙ信号復調部［２−１］及び第２のＢ−Ｙ信号復調部［２−２］の復調回路との遅延時間合わせをする素子である。遅延素子［１７］及び遅延素子［１７］の出力を、それぞれ、Ｃｂ及びＹ’H とする。
【００８１】
そして、比較部［６］は、次の処理を行い、第１のＢ−Ｙ信号復調部［２−１］及び第２のＢ−Ｙ信号復調部［２−２］で使用したサブキャリアの位相が送信側の位相と一致しているか、又は、反転しているかを判定する。
【００８２】
ここで、送信側のＹ／Ｃ分離が完全に行われていれば、Ｙ信号には残留する色信号成分は存在せず、同様に、Ｂ−Ｙ信号には残留するＹ信号成分は存在しない。そこで、残留成分がある値を持つ場合に、サブキャリアの位相を判定する。まず、
｜Ｙ’H ｜＞α、かつ、ｓｇｎ（Ｙ’H ）＝ｓｇｎ（ＹH ）
であれば、サブキャリアの位相は送信側の位相と一致していると判定する。また、
｜Ｙ’H ｜＞α、かつ、ｓｇｎ（Ｙ’H ）≠ｓｇｎ（ＹH ）
であれば、サブキャリアの位相は送信側の位相に反転していると判定する。
【００８３】
同様に、
｜Ｃ’ｂ｜＞β、かつ、ｓｇｎ（Ｃ’ｂ）＝ｓｇｎ（Ｃｂ）
であれば、サブキャリアの位相は送信側の位相と一致していると判定する。また、
｜Ｃ’ｂ｜＞β、かつ、ｓｇｎ（Ｃ’ｂ）≠ｓｇｎ（Ｃｂ）
であれば、サブキャリアの位相は送信側の位相に反転していると判定する。
【００８４】
なお、α及びβは、混入した信号があることを判定する閾（しきい）値である。また、ノイズなどによる誤動作を防ぐ目的もある。さらに、ｓｇｎ（ＹH ）、ｓｇｎ（Ｃｂ）、ｓｇｎ（Ｙ’H ）及びｓｇｎ（Ｃ’ｂ）は、それぞれ、ＹH 、Ｃｂ、Ｙ’H 及びＣ’ｂの符号を示す。
【００８５】
サブキャリアの位相は、入力信号が不連続にならない限り連続しているので、通常は、一致しているか、又は、反転しているかのいずれかに固定される。したがって、上記の判定結果を、フィールド内での多数決処理を行ったり、その結果をさらに数フレームで多数決処理を行ったりすることによって、安定化させることができる。
【００８６】
比較部［６］の出力は、第１のサブキャリア生成部［３−１］の出力である第１のサブキャリア（＋ＳＣ）、又は、第２のサブキャリア生成部［３−２］の出力である第２のサブキャリア（−ＳＣ）のいずれを、選択部［８］で使用するのかを制御する信号である。ここで、第１のサブキャリア（＋ＳＣ）及び第２のサブキャリア（−ＳＣ）は別々の入力として記載されているが、第１のサブキャリア（＋ＳＣ）のみが選択部［８］に入力され、選択部［８］の内部で位相反転信号を作成することも可能である。
【００８７】
また、色信号変調部［１０］は、選択されたサブキャリアの位相で、入力のＢ−Ｙ信号及びＲ−Ｙ信号に対し、直角二相変調処理を行う。そして、加算部［１１］によって、輝度信号と色信号と同期信号とを合成して、ＮＴＳＣ方式の複合映像信号として出力する。
【００８８】
（Ｃ−３）第３の実施形態の効果
以上のように、第３の実施形態によれば、複合映像信号をコンポーネント信号に変換した後、再度、複合映像信号に合成する際に、特別なカラーフィールド情報等を伝送、記録することなく、正しいカラーフィールド情報をより高精度に検出することができるので、Ｙ信号に残留している色信号、又は、色信号に漏れ込んでいるＹ信号を、正しい位相で変調して、合成することができ、Ｙ／Ｃ分離やカラーデコーダに伴う特性劣化を防ぐことができる。
【００８９】
（Ｄ）第４の実施形態
次に、添付図面を参照して第４の実施形態によるフィールド同期装置及び方法の実施形態を詳細に説明する。本実施の形態は、入力信号となるコンポーネント信号のカラーフレームが、ＲＳ−１７０Ａ規格に準拠していないような信号に対応することができるようにしたものである。
【００９０】
（Ｄ−１）第４の実施形態の構成
第４の実施形態の構成は、図７に示される。ここでは、第３の実施形態と異なる点についてのみ説明する。
【００９１】
第４の実施形態において、第３のサブキャリア生成部［３−３］〜第６のサブキャリア生成部［３−６］は、サブキャリアの位相を、０［度］、＋４５［度］、＋９０［度］、＋１３５［度］の４種類用意したものであり、それぞれ、第３のサブキャリア（ＳＣ１）〜第６のサブキャリア（ＳＣ４）を発生する。
【００９２】
そして、選択部［８］は、第３のサブキャリア生成部［３−３］〜第６のサブキャリア生成部［３−６］から出力された第３のサブキャリア（ＳＣ１）〜第６のサブキャリア（ＳＣ４）のうちの１つを逐次選択し、第１のＢ−Ｙ信号復調部［２−１］及び第２のＢ−Ｙ信号復調部［２−２］に出力する。
【００９３】
比較部［６］は、送信側のサブキャリアに最も近い位相のものを第３のサブキャリア（ＳＣ１）〜第６のサブキャリア（ＳＣ４）の中から選択する。なお、位相シフト部［１２］は、選ばれたサブキャリアの位相に応じて、同期信号の位相を補正するものである。
【００９４】
（Ｄ−２）第４の実施形態の動作
第４の実施形態の動作について説明する。
【００９５】
第４の実施形態においては、サブキャリア位相を、
第１のサブキャリア（ＳＣ１）の位相ＳＣ１＝０［度］、第２のサブキャリア（ＳＣ２）の位相ＳＣ２＝＋４５［度］、第３のサブキャリア（ＳＣ３）の位相ＳＣ３＝＋９０［度］、第４のサブキャリア（ＳＣ４）の位相ＳＣ４＝＋１３５［度］
の４種類用意する。そして、選択部［８］で各位相を、例えば、１フレーム毎程度に切り替え、第１のＢ−Ｙ信号復調部［２−１］及び第２のＢ−Ｙ信号復調部［２−２］に入力する。
【００９６】
また、比較部［６］は、第３の実施形態と同様に、サブキャリアの位相の判定を行うが、本実施形態では、それに加え、次のような比較を実施する。
【００９７】
まず、選択されたサブキャリアの位相がＳＣ１＝０［度］である場合、例えば、１フレーム内で、以下の条件を満たす画素数、ΣＹｐ１、ΣＹｎ１、ΣＣｐ１及びΣＣｎ１をカウントする。
【００９８】
｜Ｙ’H ｜＞α、かつ、ｓｇｎ（Ｙ’H ）＝ｓｇｎ（ＹH ）を満たす画素数：ΣＹｐ１
｜Ｙ’H ｜＞α、かつ、ｓｇｎ（Ｙ’H ）≠ｓｇｎ（ＹH ）を満たす画素数：ΣＹｎ１
｜Ｃ’ｂ｜＞β、かつ、ｓｇｎ（Ｃ’ｂ）＝ｓｇｎ（Ｃｂ）を満たす画素数：ΣＣｐ１
｜Ｃ’ｂ｜＞β、かつ、ｓｇｎ（Ｃ’ｂ）≠ｓｇｎ（Ｃｂ）を満たす画素数：ΣＣｎ１
同様に、次のフレーム内で、サブキャリアの位相がＳＣ２＝＋４５［度］である場合の画素数、ΣＹｐ２、ΣＹｎ２、ΣＣｐ２及びΣＣｎ２をカウントする。
【００９９】
｜Ｙ’H ｜＞α、かつ、ｓｇｎ（Ｙ’H ）＝ｓｇｎ（ＹH ）を満たす画素数：ΣＹｐ２
｜Ｙ’H ｜＞α、かつ、ｓｇｎ（Ｙ’H ）≠ｓｇｎ（ＹH ）を満たす画素数：ΣＹｎ２
｜Ｃ’ｂ｜＞β、かつ、ｓｇｎ（Ｃ’ｂ）＝ｓｇｎ（Ｃｂ）を満たす画素数：ΣＣｐ２
｜Ｃ’ｂ｜＞β、かつ、ｓｇｎ（Ｃ’ｂ）≠ｓｇｎ（Ｃｂ）を満たす画素数：ΣＣｎ２
同様に、次のフレーム内で、サブキャリアの位相がＳＣ３＝＋９０［度］である場合の画素数、ΣＹｐ３、ΣＹｎ３、ΣＣｐ３及びΣＣｎ３をカウントする。
【０１００】
｜Ｙ’H ｜＞α、かつ、ｓｇｎ（Ｙ’H ）＝ｓｇｎ（ＹH ）を満たす画素数：ΣＹｐ３
｜Ｙ’H ｜＞α、かつ、ｓｇｎ（Ｙ’H ）≠ｓｇｎ（ＹH ）を満たす画素数：ΣＹｎ３
｜Ｃ’ｂ｜＞β、かつ、ｓｇｎ（Ｃ’ｂ）＝ｓｇｎ（Ｃｂ）を満たす画素数：ΣＣｐ３
｜Ｃ’ｂ｜＞β、かつ、ｓｇｎ（Ｃ’ｂ）≠ｓｇｎ（Ｃｂ）を満たす画素数：ΣＣｎ３
同様に、次のフレーム内で、サブキャリアの位相がＳＣ４＝＋１３５［度］である場合の画素数、ΣＹｐ４、ΣＹｎ４、ΣＣｐ４及びΣＣｎ４をカウントする。
【０１０１】
｜Ｙ’H ｜＞α、かつ、ｓｇｎ（Ｙ’H ）＝ｓｇｎ（ＹH ）を満たす画素数：ΣＹｐ４
｜Ｙ’H ｜＞α、かつ、ｓｇｎ（Ｙ’H ）≠ｓｇｎ（ＹH ）を満たす画素数：ΣＹｎ４
｜Ｃ’ｂ｜＞β、かつ、ｓｇｎ（Ｃ’ｂ）＝ｓｇｎ（Ｃｂ）を満たす画素数：ΣＣｐ４
｜Ｃ’ｂ｜＞β、かつ、ｓｇｎ（Ｃ’ｂ）≠ｓｇｎ（Ｃｂ）を満たす画素数：ΣＣｎ４
そして、カウントしたそれぞれのΣ値を保持しておき、すべてのΣ値がカウントされた後、各Σ値の比較を行う。その結果を用い、以下のように論理判定を行う。
【０１０２】
ΣＹｐ１又はΣＣｐ１が最大値のとき、ＳＣ１をサブキャリアの位相に選択する。
【０１０３】
ΣＹｐ２又はΣＣｐ２が最大値のとき、ＳＣ２をサブキャリアの位相に選択する。
【０１０４】
ΣＹｐ３又はΣＣｐ３が最大値のとき、ＳＣ３をサブキャリアの位相に選択する。
【０１０５】
ΣＹｐ４又はΣＣｐ４が最大値のとき、ＳＣ４をサブキャリアの位相に選択する。
【０１０６】
ΣＹｎ１又はΣＣｎ１が最大値のとき、ＳＣ１の反転をサブキャリアの位相に選択する。
【０１０７】
ΣＹｎ２又はΣＣｎ２が最大値のとき、ＳＣ２の反転をサブキャリアの位相に選択する。
【０１０８】
ΣＹｎ３又はΣＣｎ３が最大値のとき、ＳＣ３の反転をサブキャリアの位相に選択する。
【０１０９】
ΣＹｎ４又はΣＣｎ４が最大値のとき、ＳＣ４の反転をサブキャリアの位相に選択する。
【０１１０】
このようにすれば、送信側のサブキャリアの位相に最も近い位相のサブキャリアを選択することが可能となる。
【０１１１】
そして、位相シフト部［１２］は、このようにして選択されたサブキャリアの位相が０［度］及び＋１８０［度］以外の場合に、出力信号のＳＣＨ位相を０［度］として、ＲＳ−１７０Ａの規定に準拠されるための処理を行う。
【０１１２】
（Ｄ−３）第４の実施形態の効果
以上のように、第４の実施形態によれば、元の複合映像信号が、ＲＳ−１７０Ａ等の規格に準拠していない信号であっても、複合映像信号をコンポーネント信号に変換した後、再度、複合映像信号に合成する際に、特別なカラーフィールド情報等を伝送、記録することなく、最適なカラーフィールド情報を検出することができる。そのため、輝度信号に残留している色信号、又は、色信号に漏れ込んでいる輝度信号を、正しい位相で変調及び合成を行うことができ、Ｙ／Ｃ分離やカラーデコーダに伴う特性劣化を防ぐことができる。
【０１１３】
さらに、水平同期信号の位相シフト部［１２］によって、ＳＣＨ＝０として、ＲＳ−１７０Ａに準拠した信号として出力することができる。
【０１１４】
（Ｅ）他の利用形態
本発明は、ＮＴＳＣ方式の複合映像信号をコンポーネント信号にした後、再度ＮＴＳＣ方式の複合映像信号に戻す処理全般に適用可能である。第１〜第４の実施形態に示したＭＰＥＧ２コーデック装置の他、ＤＶＤ記録再生装置、コンポーネント記録方式のＶＴＲ（Ｖｉｄｅｏ  Ｔａｐｅ  Ｒｅｃｏｒｄｅｒ）等のＮＴＳＣエンコーダ処理に組み込むことが可能である。
【０１１５】
特別なカラーフィールド情報を必要とせずにカラーフィールドを検出することができるので、ＮＴＳＣ方式の複合映像信号をコンポーネント信号にするＮＴＳＣデコーダの処理方法に依存しない。そのため、ＮＴＳＣエンコーダ処理に独自に組み込むことで、効果を得ることができる。
【０１１６】
さらに、ＮＴＳＣデコーダの処理におけるＹ／Ｃ分離特性の劣化を補償する処理となるので、デコーダにおいて、２次元フィルタや３次元フィルタなどの複雑な処理が不要となる。
【０１１７】
また、本実施例では、ＮＴＳＣ方式の複合映像信号について述べたが、ＰＡＬ（Ｐｈａｓｅ  Ａｌｔｅｒｎａｔｉｏｎ  Ｌｉｎｅ）方式の複合映像信号に対してもほぼ同様の構成及び動作によって、同様の効果を得ることができる。
【図面の簡単な説明】
【０１１８】
【図１】本発明の第１の実施形態の構成の一例を示す図である。
【図２】本発明の第１の実施形態の動作フローの一例を示す図である。
【図３】本発明の第２の実施形態の構成の一例を示す図である。
【図４】第２の実施形態において使用されるサブキャリアの一例を示す図である。
【図５】本発明の第２の実施形態の動作フローの一例を示す図である。
【図６】本発明の第３の実施形態の構成の一例を示す図である。
【図７】本発明の第４の実施形態の構成の一例を示す図である。
【図８】従来技術（水平走査線）の一例を示す図である。
【図９】従来技術（サブキャリアの波形）の一例を示す図である。
【図１０】従来技術の構成の一例を示す図である。
【符号の説明】
【０１１９】
１：バンドパスフィルタ（ＢＰＦ）、２：Ｂ−Ｙ信号復調部、２−１：第１のＢ−Ｙ信号復調部、２−２：第２のＢ−Ｙ信号、２−３：第２のＢ−Ｙ信号、３：サブキャリア生成部、３−１：第１のサブキャリア生成部、３−２：第２のサブキャリア生成部、３−３：第３のサブキャリア生成部、３−４：第４のサブキャリア生成部、３−５：第５のサブキャリア生成部、３−６：第６のサブキャリア生成部、３−７：第７のサブキャリア生成部、３−８：第８のサブキャリア生成部、３−９：第１のサブキャリア生成部、３−１０：第１０のサブキャリア生成部、４：遅延部、５：減算部、５−１：第１の減算部、５−２：第２の減算部、５−３：第３の減算部、６：比較部、６−１：第１の比較部、６−２：第２の比較部、７：タイミング信号／サブキャリア発生部、８：選択部、８−１：第１の選択部、８−２：第２の選択部、９：移相部、１０：色信号変調部、１１：加算部、１２：位相シフト部、１５−１：輝度信号／残留色信号分離抽出部、１５−２：残留輝度信号分離抽出部、１６〜１８：遅延素子。
【図１】
2006311481.tif 000003
【図２】
2006311481.tif 000004
【図３】
2006311481.tif 000005
【図４】
2006311481.tif 000006
【図５】
2006311481.tif 000007
【図６】
2006311481.tif 000008
【図７】
2006311481.tif 000009
【図８】
2006311481.tif 000010
【図９】
2006311481.tif 000011
【図１０】
2006311481.tif 000012